(57)【特許請求の範囲】
【請求項１】
柱上作業をするための足場板と、該足場板を柱に取り付けるため柱に巻き付けて用いる柱固定金具とを備えた柱上作業台において、
前記足場板を長手方向に複数枚連結可能に構成し、
前記足場板の連結可能にする構成は、柱固定金具に取り付けるため足場板の先端部に設けられた係止フックを前方の足場板の後端部に設けられた係止軸に引っ掛けることにより足場板を連結するとともに、各係止フックにはロック機構を備えたことを特徴とする柱上作業台。
【請求項２】
請求項１に記載の柱上作業台において、
前記足場板は、回動可能に設けられた支持ステーと、該足場板の先端部近傍に所定長さのワイヤ又はチェーンとを有し、足場板が１枚のときは該ワイヤ又はチェーンが前記支持ステーの先端部と連結され支持ステーと足場板の開角が一定以上に開かないようにして、支持ステーの先端部を柱に当接させることで足場板の水平状態を確保し且つ荷重を支えるとともに、支持ステーにはロック機構を備えたことを特徴とする柱上作業台。
【請求項３】
請求項２に記載の柱上作業台において、
前記足場板が複数枚のときは、後方に連結する足場板の支持ステーは前方の足場板の支持ステーの所定箇所に連結されることを特徴とした柱上作業台。
【請求項４】
請求項１〜３に記載の柱上作業台において、
前記柱上作業台は、長手方向の長さがそれぞれ異なる足場板を複数枚連結可能に構成したことを特徴とする柱上作業台。
【請求項５】
請求項１〜４に記載の柱上作業台において、
前記柱固定金具に略垂直状態の前記足場板の係止フックを引っ掛け、前記係止フックを中心に前記足場板を回動させながら前記足場板を水平状態に持ち上げる際に補助するためのラチェット式アシストロッドが足場板の底面に備えられていることを特徴とする柱上作業台。
【発明の詳細な説明】
【技術分野】
【０００１】
本発明は、電柱等の柱上での電力線や通信回線等の敷設作業時の足場となる柱上作業台に関する。
【背景技術】
【０００２】
電柱等の柱上での電力線や通信回線等の敷設作業では、通常高所作業車が使用されるが、高所作業車が使用できない狭溢な場所では柱に足場となる柱上作業台を取り付け作業することも多い。
【０００３】
最近では、光ファイバ回線の敷設作業が非常に多くなっている。特に一般家庭への敷設作業や光ファイバ分岐用クロージャ等の新設、既設のクロージャ等からの接続作業では、前記柱上作業台を使用することが多い。通常、クロージャ等を新設する場合の架設位置は電柱端面から７０〜８０ｃｍ離れた位置に架設されることが多いので、作業者は長さ９０ｃｍの柱上作業台を所持している。また、クロージャ等を１ｍ以上離して架設しなければいけない場合や、既設のクロージャ等が１ｍ以上離れている場合に備えて９０ｃｍの柱上作業台と２ｍの柱上作業台の２台所持している作業者もいる。これは、２ｍの柱上作業台は重量が重く取り付けが煩雑になるので、１ｍ以上離れる場合以外は９０ｃｍの柱上作業台を使用する方が作業者の負担が減るためである。
【０００４】
柱上作業台には特許文献１のように、まず電柱に足場板を取り付けるための取付金具を装着し、取付金具に形成したダルマ形状の取付穴に、足場板にあらかじめねじ込まれたボルトの頭部をダルマ形状の穴のうち大きい穴にまず挿通し、その後ボルトをずらして（足場板をずらして）小さい方の穴に移動し係合する構成となっている。
【０００５】
また、特許文献２の柱上作業台では、足場板を取り付けるための取付金具には横断面略Ｌ字形の係止部材が設けられており、また、足場板の一端には傾動阻止部材が形成されている。
足場板を取付金具に組み付けるには、足場板を傾動阻止部材側が下になるように斜め下向きにして傾動阻止部材の上端部を、取付金具のＬ字形係止部材に挿入しながら、踏み台を徐々に倒すことによって、傾動阻止部材の上端が取付金具の係止部材に係合して足場を水平に保持する構成となっている。
【先行技術文献】
【特許文献】
【０００６】
【特許文献１】実開平２−８３９４８号公報
【特許文献２】特許第３３２８４１３号公報
【発明の概要】
【発明が解決しようとする課題】
【０００７】
従来の柱上作業台は、電柱間に張られているワイヤー等に滑車や金車等を架設して足場板を水平に吊り上げ電柱に固定するのが一般的であり、この場合最低でも２人の作業者が必要となる。
【０００８】
ここで、特許文献１の場合、足場板のボルトの挿通・係合まで足場板を水平に保つ必要があるので足場板を吊り上げることが必須であり、作業者の負担が非常に大きい。
【０００９】
また、特許文献２の場合も、足場板を斜めにして取付金具の係止部材に挿入しなければならないので、足場板の他端を水平以上に持ち上げなくてはならず、通常は滑車を使用して吊り上げるので、作業者１人で作業することは非常に難しい。
【００１０】
さらに、搬送や収納の都合上、作業者は長さの異なる柱上作業台を複数所持していることは少なく、使用頻度の高い長さ９０ｃｍのものを所持している。
ところが、電柱端面から作業対象までの位置が１ｍ以上離れることも多々ある。事前に作業対象までの位置が決まっている場合は、その都度事前に２ｍの柱上作業台を調達・載せ替えすることになるが非常に煩雑となり作業者の負担となっている。
また、場合によっては現場に到着してから作業対象までの位置を１ｍ以上離すことを決定せざるをえないこともある。この場合、２ｍの柱上作業台を調達するまで作業を開始できないので大幅な作業ロスが生じる。
【００１１】
本発明は上記の問題点に鑑みてなされたものであって、本発明の柱上作業台は、連結可能であって作業対象の位置によって任意に柱上作業台を選択・連結でき、また柱上作業台を作業者１人でも簡便に取り付けできる連結機構を備えたものを提供することを目的とする。
【課題を解決するための手段】
【００１２】
本発明に係る請求項１記載の柱上作業台は、柱上作業をするための足場板と、該足場板を柱に取り付けるため柱に巻き付けて用いる柱固定金具とを備えた柱上作業台において、
前記足場板を長手方向に複数枚連結可能に構成し、
前記足場板の連結可能にする構成は、柱固定金具に取り付けるため足場板の先端部に設けられた係止フックを前方の足場板の後端部に設けられた係止軸に引っ掛けることにより足場板を連結するとともに、各係止フックにはロック機構を備えたことを特徴としている。
【００１４】
また、請求項２の発明は、請求項１に記載の柱上作業台において、
前記足場板は、回動可能に設けられた支持ステーと、該足場板の先端部近傍に所定長さのワイヤ又はチェーンとを有し、足場板が１枚のときは該ワイヤ又はチェーンが前記支持ステーの先端部と連結され支持ステーと足場板の開角が一定以上に開かないようにして、支持ステーの先端部を柱に当接させることで足場板の水平状態を確保し且つ荷重を支えるとともに、支持ステーにはロック機構を備えたことを特徴としている。
【００１５】
また、請求項３の発明は、請求項２に記載の柱上作業台において、
前記足場板が複数枚のときは、後方に連結する足場板の支持ステーは前方の足場板の支持ステーの所定箇所に連結されることを特徴としている。
【００１６】
また、請求項４の発明は、請求項１〜３に記載の柱上作業台において、
前記柱上作業台は、長手方向の長さがそれぞれ異なる足場板を複数枚連結可能に構成したことを特徴としている。
【００１７】
また、請求項５の発明は、請求項１〜４に記載の柱上作業台において、
前記柱固定金具の係止軸に略垂直状態の前記足場板の係止フックを引っ掛け、前記係止軸を中心に前記足場板を回動させながら該足場板を水平状態に持ち上げる際に補助するためのラチェット式アシストロッドが足場板の底面に備えられていることを特徴としている。
【発明の効果】
【００１８】
本発明に係る柱上作業台は、連結可能となっているため、作業位置に合わせて足場板の長さを変更できる。そのため、作業位置が電柱に近い場合は足場板を連結せずに使用すればよく、重量が軽くなるので取り付け時などの取り回しが簡便になる。
また足場板が連結可能なので、足場板１台の長さが短くて済み、作業車等への積載が簡便になる。
【００１９】
足場板の連結は、取り付け作業前に予め必要長さ分の足場板を連結してから柱固定金具に取り付けても良いし、取り付け後に更に足場板を追加して連結することも可能なので、作業変更等にも容易に対応できる。
【００２０】
また、柱固定金具と足場板の取り付けは、予め電柱等の所定位置に柱固定金具を取り付け、柱固定金具に足場板に設けられた係止フックを略垂直状態のまま掛けるだけで良いので、従来の柱上作業台のように、足場板を水平に保ちつつボルト穴の位置決めをしてボルトを締め込む作業が不要なので、工具を使用しないで簡単に取り付け作業が行える。
【００２１】
ここで、足場板の係止フックには外れ防止のためのロック機構が備えられている。そのため、係止フックを柱固定金具に掛けた後にロック機構によりロックすれば、取り付け後、作業者が手を離しても不意に係止フックが外れて足場板が落下することがないため非常に安全である。
また、当然のことながら、足場板同士の連結でもロック機構が備えられているため安全である。
【００２２】
さらに、ロック機構はロープなどが絡みつかないような位置に配置されているので、意図せずロックが解除されることが無く、非常に安全である。
【００２３】
足場板を水平状態に固定する作業は、柱固定金具に足場板の係止フックを略垂直状態で引っ掛けた後、係止フックを中心に足場板を水平状態まで持ち上げる。その後、足場板の荷重を支えるための支持ステーを柱に当接させて足場板を支持固定する。このため、足場板を滑車で略水平状態に吊り上げる必要が無く、１人で作業を行えるし、滑車の架設などの煩雑な作業も不要となり、時間短縮や作業者の負担を大幅に減らすことができる。
【００２４】
足場板を水平状態に持ち上げる際には、足場板底面に設けられたラチェット式アシストロッドを持ち手として使用することで、作業者の力の入れやすい体勢で足場板を持ち上げることができる。また、つっかえ棒として使用することもできる。このため、腕力のない者でも体勢を整えながら少しずつ持ち上げることができる。当然のことながら、アシストロッドはラチェット式なのでつっかえ棒として使用する際には持ち上げ途中で手を離しても足場板が下がることはない。さらに、アシストロッドは足場板取り外しの際にも使用できる。また、ラチェット式アシストロッドのロッド部分を伸縮自在な構造にしても良く、搬送時はよりコンパクトにできる。
【００２５】
また、各々の足場板の長さが異なるので、組み合わせ方法により様々な長さの足場を作ることができ、作業現場によって最適な長さで軽量な足場を提供することができる。
【図面の簡単な説明】
【００２６】
【図１】本発明に係る柱上作業台の第１の実施形態の全体図を示す。（ａ）は正面図、（ｂ）は平面、（ｃ）は底面図を示す。
【図２】本発明に係る足場板が単体で使用された場合の第２の実施形態の全体図を示す。（ａ）は足場板３００単体の設置図、（ｂ）は足場板４００単体の設置図を示す。
【図３】本発明に係る足場板の連結部分の拡大図を示す。（ａ）はロック状態の断面拡大図、（ｂ）は開放状態の断面拡大図、（ｃ）は連結部分の斜視図を示す。
【図４】本発明に係る足場板の支持ステーロック機構部分の拡大図を示す。（ａ）はロック状態、（ｂ）は開放状態、（ｃ）は支持ステーを折り畳んで固定した状態を示す。
【図５】本発明に係る足場板の支持ステーロック機構部分の動作手順を示す。
【発明を実施するための形態】
【００２７】
本発明の第１の実施形態について図１を参照して説明する。本実施例では元となる足場板に１台の足場板を連結した場合である。
柱上作業台１００の構成としては、柱に取り付けるための柱取付金具２００と、足場板３００と足場板４００から構成される。足場板３００の長さは１．３ｍ、足場板４００の長さは０．７ｍで、連結すると２ｍとなる。
【００２８】
本実施例では柱上作業台はアルミ製であるが、その他ステンレス製、鉄製、合成樹脂製でも良い。また、重量は軽いほど作業者の負担を軽減することができる。
また、足場板の上面には滑り止め加工が施されているとなお良い。
【００２９】
柱固定金具２００の構成は、足場板を固定するための固定金具２１０と、柱にまわして固定金具を固定するためのバンド２２０と、バンド２２０を締め付けるためのラチェット式バンド締機２３０とから構成されている。
固定金具２１０には足場板を係止するための固定軸２１１と、バンドを固定するためのバンド固定軸２１２とバンド締機固定軸２１３が形成されている。
また、ラチェット式バンド締機２３０はバンド締機固定軸２１３で連結されて一体構造となっている。
バンド２２０は一端がラチェット式バンド締機２３０を介して固定されており、もう一端はフックを備えてバンド固定軸２１２に係止するようになっている。
【００３０】
柱に柱固定金具２００を固定する方法は、バンド２２０を柱にまわしてフックをバンド固定軸２１２に係止し、ラチェット式バンド締機２３０に備えられたレバーによりバンド２２０を巻き取って締め付け、柱とバンド２２０の摩擦によって柱固定金具２００を固定する。
【００３１】
足場板３００は、  踏板３１０と、支持ステー３２１、３２２及び３２３と、ラチェット式アシストロッド３３０、支持ステーロック機構３８０、支持ステー収納フック５１０から構成されている。
踏板３１０の先端部分には係止フック３４０と足場板ロック機構３５０、後端部分には係止軸３６０が設けられている。また、踏板３１０にはワイヤー３７０が取り付けられている。
【００３２】
支持ステー３２１の先端部分は踏板３１０に取り付けられたワイヤー３７０が連結可能で、ワイヤー３７０は設置時に支持ステー３２１に連結され踏板３１０との開角を維持する。支持ステー３２１の先端はＹ字形状になっており、その部分を柱に当接して荷重を支える。また、他端は支点軸３２４に回動可能に連結されている。
【００３３】
支持ステー３２２の一端は、支点軸３２４に回動可能に連結され、ロック軸３２６は設置作業時には支持ステーロック機構３８０で踏板３１０に固定される。
【００３４】
支持ステー３２３の一端は、支点軸３２４に回動可能に連結され、他端は踏板３１０に設けられた軸受部材３２５に回動可能に連結され外れることはない。
【００３５】
つまり、支持ステー３２１、３２２及び３２３は一端がすべて支点軸３２４に連結されていて協動し、作業台設置時には他端がすべて固定されることによって略トラス形状となり足場板の荷重を支える構造となっている。
【００３６】
搬送時は、支持ステー３２１に連結されているワイヤー３７０を外しフリー状態にし、
支持ステー３２２は支持ステーロック機構３８０を解除してロック軸３２６をフリー状態にすると、支持ステー３２１〜３２３は軸受部材３２５を中心に協動して折り畳むことができる。
折り畳み方は、支持ステー３２２を、支点軸３２４を支点に踏板３１０と支持ステー３２３の間に挟みこむように折り畳んだのち、支点軸３２４を支持ステーロック機構３８０で固定する。支持ステー３２１は支持ステー収納フック５１０によって固定する。
【００３７】
支持ステー３２１、３２２及び３２３と支持ステーロック機構３８０の構成は、軽量で高強度な略トラス形状を形成できるだけでなく、非常にコンパクトに折り畳めるので搬送や収納にも便利である。また、支持ステー３２１、３２２及び３２３を略トラス形状にしたので支持強度が高くなり、踏板３１０の軽量化が図れる。
【００３８】
ラチェット式アシストロッド３３０は足場板３００を持ち上げる際に補助するためのものである。持ち手として使用したり、足場板３００は係止フック３４０を支点に回動して持ち上げて水平固定する構造のため、持ち上げ作業のつっかえ棒として使用できる。なお、ラチェット式アシストロッド３３０のロッド部分を伸縮自在な構造にしても良く、搬送時はコンパクトにできる。
【００３９】
足場板４００は、
踏板４１０と、支持ステー４２０から構成されている。
踏板４１０の先端部分には足場板３００と同様の係止フック４３０と足場板ロック機構４４０が設けられている。
支持ステー４２０には、先端部にステー係止フック４５０とステーロック機構４６０が設けられ、足場板３００と連結する場合に用いられる。他端は踏板４１０に設けられた軸受部材４２１に回動可能に連結され外れることはない。
【００４０】
本実施例での足場板４００の構成は、足場板４００の後端にさらに足場板が連結されない場合の構成となっている。図１のような構造にすると、構成部材数が減るのでより軽量となり設置作業の負担を軽減することができる。
【００４１】
柱上作業台１００の設置手順は、
第１に、地上で足場板３００と足場板４００を連結、ロックしておく。足場板３００と足場板４００の連結手順は、足場板３００の後端に設けられた係止軸３６０に足場板４００に設けられた係止フック４５０を引っ掛ける。次に、足場板４００に設けられた足場板ロック機構４４０により係止フック４５０をロックし、係止軸３６０から外れないようにする。
【００４２】
第２に、足場板３００の支持ステー３２２及び支持ステー３２３を組み立てる。足場板３００の支持ステー３２２及び支持ステー３２３は搬送時折り畳まれていて支点軸３２４が支持ステーロック機構３８０に固定されているので、支持ステーロック機構３８０のロックを解除して支点軸３２４を中心に支持ステー３２２及び支持ステー３２３を引き起こす。そして支持ステー３２２のロック軸３２６を支持ステーロック機構３８０によって固定する。これによって支持ステー３２２及び支持ステー３２３は完全に固定される。
【００４３】
第３に、足場板４００の支持ステー４２０を足場板３００の支点軸３２４に係止する。支持ステー４２０の先端部にはステー係止フック４５０とステーロック機構４６０が設けられている。ステー係止フック４５０を支点軸３２４に引っ掛けて係止し、ステーロック機構４６０で外れないようにロックする。これによって足場４００にかかる荷重を支えることができる。
【００４４】
第４に柱固定金具２００を柱の所定位置に固定する。バンド２２０を柱にまわしてフックをバンド固定軸２１２に係止し、ラチェット式バンド締機２３０に備えられたレバーの往復運動によりバンド２２０を巻き取って締め付け、柱とバンド２２０の摩擦によって柱固定金具２００を固定する。
固定には工具が不要なので簡便に取り付けることができる。また、当然のことながら、足場板の連結作業より先に柱固定金具２００の固定作業を行っても良い。
【００４５】
第５に足場板を柱固定金具２００に引っ掛ける。足場板３００の先端の係止フック３４０側を上向きにして連結された足場板を略垂直状態で持ち上げて係止フック３４０を柱固定金具２００の固定軸２１１に引っ掛ける。引っ掛けたのち足場板ロック機構３５０により係止フック３４０が外れないようにロックする。
【００４６】
最後に足場板を水平固定する。略垂直状態で係止されている足場板を、係止フック３４０を支点に回動させながら水平状態まで持ち上げる。そして、足場板３００に取り付けられたワイヤー３７０を支持ステー３２１の先端部に連結し、ワイヤー３７０を張った状態で支持ステー３２１の先端部を柱に当接させ足場板を固定する。
なお、足場板を持ち上げる際、足場板３００に設けられたラチェット式アシストロッド３３０を持ち手として、又はつっかえ棒として使用するとより簡単に持ち上げ作業ができる。このため、腕力のない者でも体勢を整えながら少しずつ持ち上げることができる。当然のことながら、アシストロッド３３０はラチェット式なのでつっかえ棒として使用してる際には持ち上げ途中で手を離しても足場板が下がることはない。また、一連の設置作業には工具が一切不要なので作業者の負担を大幅に軽減することができる。
【００４７】
次に、本発明の第２の実施形態について図２を参照して説明する。図２（ａ）は足場板３００を単体で使用した柱上作業台、図２（ｂ）は足場板４００を単体で使用した柱上作業台を示す。なお、符号は第１の実施形態で使用されたものを流用する。
【００４８】
図２（ａ）に示す柱上作業台は、柱固定金具２００に単体の足場板３００が固定されている。柱固定金具２００の構成は、足場板を固定するための固定金具２１０と、柱にまわして固定金具を固定するためのバンド２２０と、バンド２２０を締め付けるためのラチェット式バンド締機２３０とから構成されている。
固定金具２１０には足場板を係止するための固定軸２１１と、バンドを固定するためのバンド固定軸２１２とバンド締機固定軸２１３が形成されている。
また、ラチェット式バンド締機２３０はバンド締機固定軸２１３で連結されて一体構造となっている。
バンド２２０は一端がラチェット式バンド締機２３０を介して固定されており、もう一端はフックを備えてバンド固定軸２１２に係止するようになっている。
【００４９】
柱に柱固定金具２００を固定する方法は、バンド２２０を柱にまわしてフックをバンド固定軸２１２に係止し、ラチェット式バンド締機２３０に備えられたレバーによりバンド２２０を巻き取って締め付け、柱とバンド２２０の摩擦によって柱固定金具２００を固定する。
【００５０】
足場板３００は、  踏板３１０と、支持ステー３２１〜３２３と、ラチェット式アシストロッド３３０、支持ステーロック機構３８０、支持ステー収納フック５１０から構成されている。
踏板３１０の先端部分には係止フック３４０と足場板ロック機構３５０、後端部分には係止軸３６０が設けられている。また、踏板３１０にはワイヤー３７０が取り付けられている。
【００５１】
支持ステー３２１の先端部分は踏板３１０に取り付けられたワイヤー３７０が連結可能で、ワイヤー３７０は設置時に支持ステー３２１に連結され踏板３１０との開角を維持する。支持ステー３２１の先端はＹ字形状になっており、その部分を柱に当接して荷重を支える。また、他端は支点軸３２４に回動可能に連結されている。
【００５２】
支持ステー３２２の一端は、支点軸３２４に回動可能に連結され、ロック軸３２６は設置作業時には支持ステーロック機構３８０で踏板３１０に固定される。
【００５３】
支持ステー３２３の一端は、支点軸３２４に回動可能に連結され、他端は踏板３１０に設けられた軸受部材３２５に回動可能に連結され外れることはない。
【００５４】
搬送時は、支持ステー３２１に連結されているワイヤー３７０を外しフリー状態にし、
支持ステー３２２は支持ステーロック機構３８０を解除してロック軸３２６をフリー状態にすると、支持ステー３２１〜３２３は軸受部材３２５を中心に協動して折り畳むことができる。
折り畳み方は、支持ステー３２２を、支点軸３２４を支点に踏板３１０と支持ステー３２３の間に挟みこむように折り畳んだのち、支点軸３２４を支持ステーロック機構３８０で固定する。支持ステー３２１は支持ステー収納フック５１０によって固定する。
【００５５】
支持ステー３２１〜３２３と支持ステーロック機構３８０の構成は、軽量で高強度な略トラス形状を形成できるだけでなく、非常にコンパクトに折り畳めるので搬送や収納にも便利である。
【００５６】
ラチェット式アシストロッド３３０は足場板３００を持ち上げる際に補助するためのものである。持ち手として使用したり、足場板３００は係止フック３４０を支点に回動して持ち上げて水平固定する構造のため、持ち上げ作業のつっかえ棒として使用できる。なお、ラチェット式アシストロッド３３０のロッド部分を伸縮自在な構造にして搬送時はコンパクトにできても良い。
【００５７】
図２（ａ）の構成の場合の柱上作業台設置手順は、
第１に柱固定金具２００を柱の所定位置に固定する。
第２に足場板３００を柱固定金具２００に引っ掛ける。足場板３００の係止フック３４０側を上向きにして足場板を略垂直状態で持ち上げて係止フック３４０を柱固定金具２００の固定軸２１１に引っ掛ける。引っ掛けたのち足場板ロック機構３５０により係止フック３４０が外れないようにロックする。
最後に足場板３００を水平固定する。略垂直状態で係止されている足場板３００を、係止フック３４０を支点に回動させながら水平状態まで持ち上げる。そして、足場板３００に取り付けられたワイヤー３７０を支持ステー３２１の先端部に連結し、ワイヤー３７０を張った状態で支持ステー３２１の先端部を柱に当接させ足場板を固定する。なお、足場板を持ち上げる際、足場板３００に設けられたラチェット式アシストロッド３３０を持ち手として、又はつっかえ棒として使用するとより簡単に持ち上げ作業ができる。このため、腕力のない者でも体勢を整えながら少しずつ持ち上げることができる。当然のことながら、アシストロッド３３０はラチェット式なのでつっかえ棒として使用している際には持ち上げ途中で手を離しても足場板が下がることはない。
【００５８】
図２（ｂ）に示す柱上作業台は、柱固定金具２００に単体の足場板４００が固定されている。柱固定金具２００の構成は、図２（ａ）と同様に、足場板を固定するための固定金具２１０と、柱にまわして固定金具を固定するためのバンド２２０と、バンド２２０を締め付けるためのラチェット式バンド締機２３０とから構成されている。
固定金具２１０には足場板を係止するための固定軸２１１と、バンドを固定するためのバンド固定軸２１２とバンド締機固定軸２１３が形成されている。
また、ラチェット式バンド締機２３０はバンド締機固定軸２１３で連結されて一体構造となっている。
バンド２２０は一端がラチェット式バンド締機２３０を介して固定されており、もう一端はフックを備えてバンド固定軸２１２に係止するようになっている。
【００５９】
足場板４００は、踏板４１０と、支持ステー４２０から構成されている。
踏板４１０の先端部分には足場板３００と同様の係止フック４３０と足場板ロック機構４４０が設けられている。
支持ステー４２０には、先端部にステー係止フック４５０とステーロック機構４６０が設けられ、足場板３００と連結する場合に用いられる。他端は踏板４１０に設けられた軸受部材４２１に回動可能に連結され外れることはない。なお、搬送時には支持ステー収納フック５１０によって固定すると安全である。
【００６０】
また、踏板４１０にはワイヤー４７０が取り付けられており、足場板４００を単独で使用する場合はワイヤー４７０を支持ステー４２０に連結して踏板４１０との開角を維持する。支持ステー４２０の先端はＹ字形状になっており、その部分を柱に当接して荷重を支える。
【００６１】
図２（ｂ）の構成の場合の柱上作業台設置手順は、
第１に柱固定金具２００を柱の所定位置に固定する。
第２に足場板４００を柱固定金具２００に引っ掛ける。足場板４００の係止フック４３０側を上向きにして足場板を略垂直状態で持ち上げて係止フック４３０を柱固定金具２００の固定軸２１１に引っ掛ける。引っ掛けたのち足場板ロック機構４４０により係止フック４３０が外れないようにロックする。
最後に足場板を水平固定する。略垂直状態で係止されている足場板４００を、係止フック４３０を支点に回動させながら水平状態まで持ち上げる。そして、足場板４００に取り付けられたワイヤー４７０を支持ステー４２０の先端部に連結し、ワイヤー４７０を張った状態で支持ステー４２０の先端部を柱に当接させ足場板を固定する。
なお、足場板４００の底面に、持ち上げを補助するためのラチェット式アシストロッド３３０を設けても良い。
【００６２】
次に、図３に示す足場板３００の係止部分の構造を説明する。
足場板３００先端の係止部分の構造は、先端部に係止フック３４０と、係止フックをロックするための足場板ロック機構３５０とから構成されている。
本実施例では係止フック３４０は一方は図示していないが２箇所に設けられている。ただし、場合によって３箇所以上設けられていても良い。係止フック３４０の開口方向は、足場板の後端方向に開口されている。これは、柱固定金具２００の固定軸２１１に係止フック３４０を引っ掛ける際に略垂直状態で引っ掛けられるようにするためである。通常工事現場等で使用されている足場のフックは、パイプ軸に上から乗せるように作られているので開口部は下向き（足場に対して直角方向に大きく開口）となっていることが多い。
【００６３】
足場板ロック機構３５０は、金具ロック３５１と、ストッパレバ３５２からなり、金具ロック３５１はＬ字形のアングルの両端にロック片３５３が形成されている。金具ロック３５１は係止フック３４０又は踏板３１０に回動可能に設けられている。本実施例では係止フック３４０に回動するための軸３５４が設けられ、図３（ｂ）のように回動する。ロック片３５３は両端に形成される必要はなく、ロック片３５３の数も必要に応じて増減しても良いが、係止フック３４０に沿うように形成されるのが望ましい。
【００６４】
ストッパレバ３５２は断面形状がコの字状になっていて、踏板３１０の側面に設けられた孔３１１にはめ込まれて１軸中心に回動可能に配置されている。踏板の側面に対して外側には金具ロックを固定するためのフック３５５が形成され、踏板の内側には固定を解除するためのボタン３５６が形成されている。
【００６５】
ストッパレバ３５２のボタン３５６はバネ３５７で付勢されていて、フック３５５は金具ロック３５１の対応する位置に設けられた嵌合孔３５８に引っ掛かって固定される仕組みとなっている。ストッパレバ３５２はバネ付勢されていて常に金具ロック３６１を固定する方向に付勢されているので、ロックし忘れることもなく、また、ボタン３５６を押さない限りロックが解除されない構造となっている。
また、ボタン３５６が踏板３１０の内側に配置されるように構成されているので、意図せず固定解除されることの無いように工夫されている。
【００６６】
次に、図４及び図５に示す支持ステーロック機構３８０の構造を説明する。
支持ステー３２２は、略トラス形状を構成するために、支持ステーロック機構３８０により固定される。
支持ステーロック機構３８０は、ステーロック３８１と、解除レバー３８２とピンストッパ３８３からなる。図５は動作手順の図である。
連結部の足場板ロック機構３５０とは異なり、解除レバー３８２とステーロック３８１に対向した同位置に穴３８４が設けられており、その穴３８４にバネで付勢されたピンストッパ３８３が嵌合することによってかんぬきの役割を果たすので、図５（ｂ）から図５（ｃ）の動作手順のように解除レバー３８２の穴３８４からピンストッパ３８３を抜かない限りロックを解除することはできない。また、ステーロック３８１がロック位置に移動すると同時にピンストッパ３８３が自動で穴３８４に嵌合するので、ロックし忘れることがないように工夫されている。
【００６７】
また、支持ステーロック機構３８０は、図４（ｃ）のように、支持ステー３２２を折り畳んだ際の支点軸３２４を係止することにより支持ステー３２２と支持ステー３２３を固定する機能もある。このため、搬送時や収納時の省スペース化をすることができる。
【産業上の利用可能性】
【００６８】
本発明の柱上作業台は、連結可能であって作業対象の位置によって任意に柱上作業台を選択・連結できるので作業現場によって最適な長さで軽量な足場を提供でき、また柱上作業台作業者１人でも簡便に取り付けできる連結機構を備えているので、作業の負担を大幅に軽減することができる。
【符号の説明】
【００６９】
１００    柱上作業台
２００    柱固定金具
２１０    固定金具
２１１    固定軸
２１２    バンド固定軸
２１３    バンド締機固定軸
２２０    バンド
２３０    ラチェット式バンド締機
３００    足場板
３１０    踏板
３２１    支持ステー
３２２    支持ステー
３２３    支持ステー
３２４    支点軸
３２５    軸受部材
３２６    ロック軸
３３０    ラチェット式アシストロッド
３４０    係止フック
３５０    足場板ロック機構
３６０    係止軸
３７０    ワイヤー
３８０    支持ステーロック機構
４００    足場板
４１０    踏板
４２０    支持ステー
４２１    軸受部材
４３０    係止フック
４４０    足場板ロック機構
４５０    ステー係止フック
４６０    ステーロック機構
４７０    ワイヤー
５１０    支持ステー収納フック
【図１】
0005627958.tif 000002
【図２】
0005627958.tif 000003
【図３】
0005627958.tif 000004
【図４】
0005627958.tif 000005
【図５】
0005627958.tif 000006